(57)【特許請求の範囲】
【請求項１】
他の無線装置との間で信号を送受信する複数のアンテナを備える無線装置であって、
通過周波数帯域を制御可能な受信フィルタと、
前記受信フィルタを介して受信した前記信号内のプリアンブルにおいて、前記複数のアンテナの夫々が受信した前記信号の受信レベルを測定する測定部と、
前記測定部の測定結果に基づいて、前記複数のアンテナを切り替えるアンテナ切替部と、
当該無線装置の前記信号の送受信及び前記受信フィルタの通過周波数帯域を制御する制御部と
を備え、
前記制御部は、パケット密度が所定閾値よりも高い場合には、前記他の無線装置に対して、前記プリアンブルを第１のデータ長から当該第１のデータ長よりも短い第２のデータ長に変更する指示を行うと共に、前記受信フィルタの通過周波数帯域を第１の帯域から当該第１の帯域よりも広い第２の帯域に変更することを特徴とする無線装置。
【請求項２】
前記制御部は、前記他の無線装置に対して、前記プリアンブルを前記第１のデータ長から前記第２のデータ長に変更する指示を同時に行った後に、前記受信フィルタの通過周波数帯域を前記第１の帯域から前記第２の帯域に変更することを特徴とする請求項１に記載の無線装置。
【請求項３】
相互に信号を送受信可能な複数の無線装置と、前記複数の無線装置と通信し、動作を管理可能な管理装置とを含む無線通信システムであって、
前記複数の無線装置の内、少なくとも一の無線装置は、
他の無線装置との間で前記信号を送受信する複数のアンテナと、
通過周波数帯域を制御可能な受信フィルタと、
前記受信フィルタを介して受信した前記信号内のプリアンブルにおいて、前記複数のアンテナの夫々が受信した前記信号の受信レベルを測定する測定部と、
前記測定部の測定結果に基づいて、前記複数のアンテナを切り替えるアンテナ切替部と、
当該一の無線装置の前記信号の送受信及び前記受信フィルタの通過周波数帯域を制御する制御部と、
を備え、
前記管理装置は、
パケット密度が所定閾値よりも高い場合には、前記他の無線装置に対して、前記一の無線装置に対して送信する前記信号内の前記プリアンブルを第１のデータ長から当該第１のデータ長よりも短い第２のデータ長に変更する指示を行う指示部を備え、
前記制御部は、前記パケット密度に基づいて、前記受信フィルタの通過周波数帯域を第１の帯域から当該第１の帯域よりも広い第２の帯域に変更することを特徴とする無線通信システム。
【請求項４】
前記制御部は、前記管理装置から前記プリアンブルを前記第１のデータ長から前記第２のデータ長に変更する指示を受信した後に、前記受信フィルタの通過周波数帯域を前記第１の帯域から前記第２の帯域に変更することを特徴とする請求項３に記載の無線通信システム。
【請求項５】
他の無線装置との間で信号を送受信する複数のアンテナを備える無線装置における通信制御方法であって、
通過周波数帯域を制御可能な受信フィルタを介して受信した前記信号内のプリアンブルにおいて、前記複数のアンテナの夫々の受信レベルを測定し、
前記測定結果に基づいて、前記複数のアンテナを切り替え、
パケット密度が所定閾値よりも高い場合には、前記他の無線装置に対して、前記プリアンブルを第１のデータ長から当該第１のデータ長よりも短い第２のデータ長に変更する指示を送信し、前記受信フィルタの通過周波数帯域を第１の帯域から当該第１の帯域よりも広い第２の帯域に変更することを特徴とする通信制御方法。
【請求項６】
前記他の無線装置に対して、前記プリアンブルを前記第１のデータ長から前記第２のデータ長に変更する指示を同時に行った後に、前記受信フィルタの通過周波数帯域を前記第１の帯域から前記第２の帯域に変更することを特徴とする請求項５に記載の通信制御方法。
【発明の詳細な説明】
【技術分野】
【０００１】
本発明は、無線送受信を行う無線装置であって、複数のアンテナを切り替えて信号を受信する選択ダイバーシチ効果を有する無線装置及び該無線装置の通信制御方法、並びに該無線装置を備える無線通信システムの技術分野に関する。
【背景技術】
【０００２】
無線通信において、複数のアンテナを用いて信号を受信するダイバーシチ受信方式は、フェージングによる受信電界強度低下の影響を低減するために有効な手段として知られている。このような方式を採用する無線装置について、下記の先行技術文献に説明がある。
【０００３】
また、ダイバーシチ受信方式において、複数のアンテナのうち、受信電界強度がより大きいアンテナで受信する選択ダイバーシチ受信方式が知られている。該方式では、複数のアンテナに対して装置内の受信用設備が一系統で足りるため、装置構成上のコスト面などで有益である。選択ダイバーシチ受信方式では、例えば、無線パケットのプリアンブルの受信期間において、各アンテナについての受信電界強度を測定している。そして、より受信電界強度が大きいアンテナを受信用のアンテナとして適宜切り替える制御が行われる。従って、より適切な受信アンテナを選択するためには、受信電界強度を測定するための充分な期間、言い換えれば充分な長さのプリアンブルが存在することが好ましい。
【先行技術文献】
【特許文献】
【０００４】
【特許文献１】ＷＯ９５／０９４９５号国際公開パンフレット
【特許文献２】特開２００３−０６０５４１号公報
【特許文献３】特開平１０−１６３９３９号公報
【特許文献４】特開２００４−０１５０８９号公報
【発明の概要】
【発明が解決しようとする課題】
【０００５】
センサネットワークや無線ＬＡＮ(Local Area Network)など、複数の端末が限られた空間（言い換えれば、帯域）を共有するシステムでは、搬送波感知多重アクセス／衝突回避方式（Carrier Sense Multiple Access/Collision Avoidance：ＣＳＭＡ／ＣＡ）方式が利用されることが多い。このようなシステムでは、パケットを送受信する無線装置数が増加し、空間内のパケット密度が増大すると、所謂パケット衝突が生じ、適切なパケット受信が行えない場合がある。このため、ＣＳＭＡ／ＣＡ方式では、パケット衝突を回避するために、各無線装置は、信号を送信する際に、周囲の他の無線装置がパケットを送信しているかを判定し、他の無線装置が信号を送信していないと判断した場合に信号を送信するという制御を行う。
【０００６】
しかしながら、空間内のパケット密度が増大した状態では、各無線装置がパケットを送信出来ない時間が増加し、送信の遅延に繋がること、また、パケット密度が過密の状態では、パケット衝突を充分に回避しきれないことなど、技術的な問題が残されている。この対策として、各パケットにおけるプリアンブル等の送信時間長を短縮することでパケット衝突の回避や送信出来ない時間の短縮を図ることが考えられる。しかしながら、選択ダイバーシチ受信方式では、上述の通り、受信アンテナ選択のためにある程度以上の長さのプリアンブルが求められることから、パケット衝突回避のためのパケットの送信時間長の短縮に対してトレードオフの関係にある。
【０００７】
本発明は、上述した技術的な問題点に鑑み、無線装置が複数存在し、空間内のパケット密度が増大した場合であっても、好適な無線通信と、選択ダイバーシチ制御を維持しつつ、パケット衝突を回避可能な無線装置及び方法、並びに無線通信システムを提供することを課題とする。
【課題を解決するための手段】
【０００８】
上記課題を解決するために、開示の無線装置は、他の無線装置との間で信号を送受信する複数のアンテナを備える無線装置であって、アンテナ切替部と、受信フィルタと、測定部と、制御部と、パケット密度判定部とを備える。アンテナ切替部は、測定部の測定結果に基づいて、信号の送受信に用いる複数のアンテナを切り替える。
【０００９】
受信フィルタは、通過周波数帯域を制御可能なフィルタである。測定部は、受信フィルタを介して受信した信号内のプリアンブルにおいて、複数のアンテナの夫々が受信した信号の受信レベル（言い換えれば、複数のアンテナの夫々の受信レベル）を測定する。制御部は、当該無線装置の信号の送受信動作の制御、及び受信フィルタの通過周波数帯域を制御する。パケット密度判定部は、当該無線装置の近傍におけるパケット密度を検出、判定又は推定する。
【００１０】
尚、制御部は、当該無線装置の近傍のパケット密度に基づいて、当該無線装置に対して信号を送信する他の無線装置に対して、プリアンブルを第１のデータ長から相対的に短い第２のデータ長に変更する指示を行う。また、制御部は、受信フィルタの通過周波数帯域を第１の帯域から相対的に広い第２の帯域に変更する。
【００１１】
上記課題を解決するために、開示の無線通信システムは、第１の無線装置及び該第１の無線装置と信号を送受信可能な一又は複数の第２の無線装置を含む複数の無線装置と、前記複数の無線装置と通信し、動作を管理可能な管理装置とを含む。
【００１２】
第１の無線装置は、上述した無線装置が備える各構成に加え、パケット密度判定部による判定結果を管理装置に通知する通知部を備える。
【００１３】
管理装置は、第１の無線装置からの通知に基づいて、第２の無線装置に対して、第１の無線装置に対して送信する前記信号内の前記プリアンブルを第１のデータ長から相対的に短い第２のデータ長に変更する指示を行う指示部を備える。
【発明の効果】
【００１４】
上述の構成によれば、プリアンブル長が短くなった場合においてもダイバーシチ制御を維持しつつ、パケット衝突を回避することが出来る。
【図面の簡単な説明】
【００１５】
【図１】複数の無線装置が存在する無線通信ネットワークの概要を示す図である。
【図２】無線装置の構成例を示す図である。
【図３】階層毎のフレーム構成を示す図である。
【図４】隣接端末テーブルの構成例を示す図である。
【図５】アプリケーション層のフレーム構成を詳細に示す図である。
【図６】無線装置のパケット受信に係る動作の流れを示すフローチャートである。
【図７】ＣＳＭＡ／ＣＡ方式での時系列的なパケット送受信の態様を示す図である。
【図８】無線装置の受信フィルタの帯域幅と該フィルタを介した出力波形との関係を示す図である。
【図９】受信フィルタの帯域幅とＲＳＳＩが安定するまでの時間との関係を示す図である。
【図１０】制御用のコーディネータ装置を含む無線通信ネットワークの概要を示す図である。
【図１１】無線装置の変形構成例を示す図である。
【図１２】無線装置のパケット受信に係る動作の流れを示すフローチャートである。
【図１３】コーディネータの動作の流れを示すフローチャートである。
【発明を実施するための形態】
【００１６】
以下に、発明を実施するための実施形態について説明する。
【００１７】
（１）構成例
図１を参照して、開示の無線装置を含む無線通信システムの構成例について説明する。図１に示される無線通信ネットワーク１は、相互に無線通信が可能な複数の無線装置を含むネットワークである。
【００１８】
無線装置１０は、開示の無線装置の一例であって、例えば無線センサネットワーク等の所定のプロトコルに沿って無線通信により無線信号の送受信が可能な通信用の端末である。無線装置１０は、周囲に配置される無線装置２０ａ乃至ｇとの間で無線信号の送受信を行うことで、パケット化したデータの通信を行う。
【００１９】
無線装置２０ａ乃至ｇは、無線装置１０の周囲に配置される他の無線装置である。無線装置２０ａ乃至ｇは、好適には無線装置１０と同様の構成であってよく、例えば後述する無線装置１０の構成例に示されるものと同様のハードウェア、ソフトウェア、機能及びその他の何らかの特徴を有していてよい。以下の説明では、無線装置１０の周囲に配置される無線装置について、便宜上無線装置１０と区別して説明するために無線装置２０ａ乃至ｇとの表記を行っている。尚、以下の説明において、無線装置２０ａ乃至ｇを区別せず説明する場合には、まとめて無線装置２０と表記する。
【００２０】
無線装置１０の構成例について、図２を参照して説明する。図２は、無線装置１０のハードウェア構成と各構成が有する機能部とを示したブロック図である。
【００２１】
無線装置１０は、第１アンテナ１１と、第２アンテナ１２と、アンテナ切替スイッチ１３と、Ｔ／Ｒ（Transmission/Reception：送受信切替）スイッチ１４と、無線部１５と、無線制御部１６とを備える。
【００２２】
無線部１５は、送信パケット生成部１５１と、プリアンブル生成部１５２と、同期検出部１５３と、受信帯域フィルタ１５４と、ＲＳＳＩ検出部１５５とを備える。また、無線制御部１６は、送信フレーム生成部１６１と、プリアンブル長制御部１６２と、受信フレーム処理部１７と、送受信切替信号生成部１８と、アンテナ制御信号生成部１９とを備える。受信フレーム処理部１７は、フレーム種類判定部１７１と、コマンド処理部１７２と、データ格納部１７３と、隣接端末テーブル１７４と、ＲＳＳＩ格納部１７５と、パケット密度判定部１７６と、ＲＳＳＩ大小判定部１７７とを備える。
【００２３】
第１及び第２アンテナ１１、１２は、夫々アンテナ切替スイッチ１３に接続される送受信用のアンテナであって、無線信号の受信時には、受信信号をアンテナ切替スイッチ１３及び（送受信切替スイッチ）１４を介して無線部１５に出力する。また、第１及び第２アンテナ１１、１２は、送信時には、無線部１５より出力された送信信号をＴ／Ｒスイッチ１４及びアンテナ切替スイッチ１３、アンテナ切替スイッチ１３で選択された第１アンテナ１１又は第２アンテナ１２を介し、電波として送信する。尚、無線装置１０は、３つ以上のアンテナを有していてもよい。
【００２４】
アンテナ切替スイッチ１３は、第１及び第２アンテナ１１、１２を、Ｔ／Ｒスイッチ１４及び無線部１５に接続するスイッチである。アンテナ切替スイッチ１３は、無線制御部１６が備えるアンテナ制御信号生成部１９において生成されるアンテナ制御信号に基づいて動作し、接続先を第１及び第２アンテナ１１、１２のいずれかに切り替える。
【００２５】
アンテナ切替スイッチ１３は、不図示の分配器を備え、該分配器において第１アンテナ１１が出力する受信信号及び第２アンテナ１２が出力する受信信号を、Ｔ／Ｒスイッチ１４に出力する。
【００２６】
Ｔ／Ｒスイッチ１４は、無線部１５が備える送信パケット生成部１５１と、受信帯域フィルタ１５４を夫々アンテナ切替スイッチ１３並びに第１及び第２アンテナ１１、１２に接続するスイッチである。Ｔ／Ｒスイッチ１４は、無線制御部１６が備える送受信切替信号生成部１８において生成される送受信切替信号に基づいて動作し、接続先を送信パケット生成部１５１及び受信帯域フィルタ１５４のいずれかに切り替える。かかる動作により、信号の送信時には送信部１５１が、信号の受信時には受信帯域フィルタ１５４が、アンテナ切替スイッチ１３並びに第１及び第２アンテナ１１、１２に接続される。
【００２７】
無線部１５は、第１及び第２アンテナ１１、１２を介してパケットの送受信を行う信号処理用の装置である。無線部１５は、送信パケット生成部１５１とプリアンブル生成部１５２と同期検出部１５３と受信帯域フィルタ１５４とＲＳＳＩ検出部１５５とを備える。
【００２８】
送信パケット部１５１は、無線制御部１６の送信データ生成部１６１において生成された送信用のデータを第１及び第２アンテナ１１、１２を介して送信する装置である。
【００２９】
プリアンブル生成部１５２は、無線制御部１６のプリアンブル長制御部１６２において生成される制御信号に応じた長さのプリアンブルを生成、送信部１５１に出力する。送信部１５１は、入力されるプリアンブルに送信用データに付加したパケットを第１又は第２アンテナ１１、１２を介して送信する。
【００３０】
受信部１５３は、受信フィルタ１５４、第１又は第２アンテナ１１、１２を介して受信した受信信号のＲＳＳＩ（Received Signal Strength Indicator）を検出するＲＳＳＩ測定部１５５、及び受信した信号をデータに復調する不図示の復調回路等を備える。受信部１５３は、復調回路において生成したデータを無線制御部１６の受信データ処理部１６３に送信する。
【００３１】
受信フィルタ１５４は、受信部１５３に入力される受信信号について、所定の通過帯域の信号を通過させる一方で他の帯域の信号を減衰させるデジタルフィルタである。受信フィルタ１５４の通過帯域は、受信制御部１６のフィルタ帯域制御部１６４からの制御信号により適宜変更可能となっている。
【００３２】
ＲＳＳＩ測定部１５５は、第１及び第２のアンテナ１１，１２の受信電力に相当する受信強度表示信号（Received Signal Strength Indicator：ＲＳＳＩ）を夫々検出し、受信データ処理部１６３に出力する。ＲＳＳＩ測定部１５５は、例えば、第１アンテナ１１において受信した信号のＲＳＳＩを所定期間検出し、次に第２アンテナ１２において受信した信号のＲＳＳＩを所定期間検出する。
【００３３】
ここに、所定期間とは、信号によるデータの伝送形態の一例であるパケットに付加されるプリアンブル受信期間中の所定の期間を示す。具体的には、ＲＳＳＩ測定部１５５は、受信パケットのプリアンブル受信期間中の第１の期間において第１アンテナ１１のＲＳＳＩ値の測定を行い、プリアンブル受信期間中の第１の期間とは異なる第２の期間において第２アンテナ１２ＲＳＳＩ値の測定を行う。
【００３４】
無線制御部１６は、例えば、ＣＰＵとメモリとを備え、メモリ内に格納されるプログラムに基づいてＣＰＵが動作することで、後述する各機能部に示される各機能を実現させる装置である。無線制御部１６は、送信データ生成部１６１と、プリアンブル長制御部１６２と、受信データ処理部１６３と、フィルタ帯域制御部１６４と、送受信切替制御部１６５と、アンテナ切替制御部１６６とを備える。
【００３５】
送信データ生成部１６１は、第１又は第２アンテナ１１、１２を介して送信するパケットを生成し、無線部１５の送信部１５１に出力する。また、送信データ生成部１６１は、後述するパケット密度の判定結果に応じて、他の無線装置２０に対して、プリアンブル短縮要求メッセージを生成して、第１又は第２アンテナ１１、１２を介して送信するよう、無線部１５の送信部１５１に出力する。
【００３６】
プリアンブル長制御部１６２は、無線部１５のプリアンブル生成部１５２に対して、パケットに付加するプリアンブルの長さを指定する信号を送信する。例えば、プリアンブル長制御部１６２は、プリアンブル生成部１５２に対して、通常の通信時には８ｂｙｔｅのプリアンブルを生成するよう指示し、後述するパケット密度の判定結果に応じて、例えば４ｂｙｔｅ等のより短いプリアンブルを生成する指示を行う。
【００３７】
受信データ処理部１６３は、受信部１５３において受信したパケットについて処理する機能部である。受信したパケットについて、不図示の出力装置を介した音声又は映像の出力や、その他何らかのデータ処理を実施する。
【００３８】
フィルタ帯域制御部１６４は、受信部１５４の受信フィルタのレジスタ値を変更すること等により、受信フィルタ１５４の通過周波数帯域を変更する機能部である。
【００３９】
送受信切替制御部１６５は、無線部１５での送受信動作に応じて、Ｔ／Ｒスイッチ１４を切り替える制御信号を生成する機能部である。
【００４０】
アンテナ切替制御部１６６は、ＲＳＳＩ測定部１５５において検出される受信信号のＲＳＳＩ等に応じて、アンテナ切替スイッチ１３を切り替えるための制御信号を生成する機能部である。
【００４１】
パケット密度判定部１７は、無線装置１０の近傍におけるパケット密度について、所定の基準の下、その高低を判定する。例えば、パケット密度判定部１７は、パケット密度が高いレベルにあるか否か（例えば、所定閾値よりも高いか否か、つまり、低いレベルにあると判定される場合と比較して相対的に高いか否か）を判定してもよい。或いは、パケット密度判定部１７は、パケット密度が低いレベルにある（例えば、所定閾値以下となるか否か、つまり、高いレベルにあると判定される場合と比較して相対的に低いか否か）を判定してもよい。
【００４２】
パケット密度判定部１７は、例えば、好適な一形態として、内部に無線装置１０の近傍の無線装置２０の配置数を格納するデータベースを含むメモリを備える。一般的に、或るエリア内に配置される無線装置数が増大するにつれて、該エリア内における信号の送受信の頻度は高くなり、エリア内のパケット密度は増大すると言える。そこで、パケット密度判定部１７は、無線装置１０の近傍に配置される無線装置２０の数に所定の閾値を設け、近傍の無線装置２０の数が該閾値を超える場合に、パケット密度が相対的に高いと判定する。尚、パケット密度判定部１７は、受信アンテナ１１、１２を介して受信した信号に基づいて、近傍の無線装置２０について、信号を送信している等、稼働している装置の数のみを考慮して上述の判定を行ってもよい。以下に説明する無線装置１０の動作例では、近傍の無線装置２０の配置数に基づいてパケット密度の判定を行う動作について例示する。
【００４３】
また、パケット密度判定部１７は、他の一形態として、ＲＳＳＩ測定部１５５において検出される近傍の無線装置２０から送信される信号の受信レベル（例えば、ＲＳＳＩ値等）に所定の閾値を設定し、該閾値を超えるＲＳＳＩ値が検出される回数に応じてパケット密度が相対的に高いと判定する。尚、かかる形態は、閾値を超えるＲＳＳＩ値が検出される回数に閾値を設定し、該閾値を超える回数の検出が確認される場合に、パケット密度が相対的に高いと判定する等、適宜調整されてよい。
【００４４】
また、パケット密度判定部１７は、他の一形態として、無線装置１０における信号再送が行われる回数に所定の閾値を設定して、検出した再送回数が閾値を上回る場合に、パケット密度が相対的に高いと判定してもよい。一般的に、ＣＳＭＡ／ＣＡ方式で通信を行う無線装置１０の近傍でのパケット密度が高い場合、無線装置１０内でのパケットの誤り率が増大し、パケットの再送回数が増大する。このため、無線装置１０におけるパケットの再送回数に着目することで、無線装置１０の近傍におけるパケット密度の推定が可能となる。
【００４５】
パケット密度判定部１７は、上述した方法のいずれかを用いて無線装置１０の近傍におけるパケット密度の判定を行ってもよく、またこれらを組み合わせてパケット密度の判定を行ってもよい。また、パケット密度判定部１７は、その他、公知非公知を問わず、好適にパケット密度を検出又は推定可能な方法について適宜採用してもよい。
【００４６】
図２を参照して、無線装置１０の各機能部の一連の動作について説明する。
【００４７】
先ず、無線装置１０の送信動作について説明する。
【００４８】
無線制御部１６は、データ送信時、送信フレーム生成部１６１でメモリ内のデータをペイロード(Payload)の形にして送信パケット生成部１５１に送る。送信パケット生成部１５１は、ペイロードに、プリアンブル(Preamble)、同期語(SFD)、フレーム長(Length)、予約域（Reserved）を含む物理ヘッダを付加してパケットを生成する。一方で、送受信切替信号生成部１８は、Ｔ／Ｒスイッチ１４を送信側に切り替えるための切替信号をＴ／Ｒスイッチ１４へ出力する。切替信号を受信したＴ／Ｒスイッチ１４は、接続先を送信側の送信パケット生成部１５１に切り替える。更に、送受信切替信号生成部１８は、送信側への切り替えとともに、アンテナ切替スイッチ１３で第１、第２アンテナ１１、１２のいずれか一方に切り替える動作を行う。尚、無線装置１０は、送信時にアンテナのダイバーシチ制御を行わない構成を想定している。このため、送信時に用いるアンテナについて予め決定されていてもよく、また、受信時に選択したアンテナを用いてもよい。尚、上述した例に関わらず、無線装置１０は、図２に記載されない公知の構成などを更に備えることで、送信時にアンテナのダイバーシチ制御を実施してもよい。
【００４９】
無線部１５は、送信パケットを不図示の高周波回路部により高周波信号に変換して、Ｔ／Ｒスイッチ１４、アンテナ切替スイッチ１３及び第１アンテナ１１又は第２アンテナ１２を介して空間に出力する。
【００５０】
次に、無線装置の受信時の動作について説明する。
【００５１】
無線装置１０は、受信待機状態時に、送受信切替信号生成部１８より、Ｔ／Ｒスイッチ１４が受信側になるように切替信号を出力する。また、送受信切替信号生成部１８は、第１アンテナ１１、第２アンテナ１２をある時間間隔で切り替える選択ダイバーシティ制御ができるように、アンテナ制御信号生成部１９に選択ダイバーシティ制御信号を出力する。アンテナ制御信号生成部１９は、その選択ダイバーシティ制御信号を受けて、ある時間間隔で、第１アンテナ１１、第２アンテナ１２を切り替えるようにアンテナ制御信号をアンテナ切替スイッチ１３に出力する。
【００５２】
無線装置１０は、他の端末からパケットを受信した際、該パケットを無線部１５における不図示の高周波回路部において復調する。同期検出部１５３は、復調されたパケットを受信帯域フィルタ１５４を介して受信し、物理ヘッダ内に含まれる同期語の検出を行い、検出位置の後続にあるペイロード（ＰＳＤＵフレーム）を切り取って、フレーム種類判定部１７１へ出力する。また、例えばログアンプ等のＲＳＳＩ検出部１５５は、該パケットを受信帯域フィルタ１５４を介して受信し、パケットのプリアンブルでの受信電界の強さを検出する。
【００５３】
フレーム種類判定部１７１は、無線部１５の同期検出部１５３から出力されるペイロードのヘッダ情報を読み込み、当該フレームがコマンドであるかデータであるかを判定する。フレーム種類判定部１７１は、当該フレームがコマンドであると判定すると、当該フレームをコマンド処理部１７２に出力し、当該フレームがデータであると判定すると、当該フレームをデータ格納部１７３に出力する。
【００５４】
コマンド処理部１７２は、フレーム種類判定部１７１から出力されるコマンドのフレームを分析する。コマンド処理部１７２は、受信したフレームに記述されているコマンドがプリアンブル長短縮要求であるか否かを判別し、プリアンブル長短縮要求コマンドである場合、該フレームをプリアンブル長制御部１６２に出力する。
【００５５】
プリアンブル長制御部１６２は、受信したフレームから、送信元情報とプリアンブル長短縮要求の内容を検出し、プリアンブル長短縮要求を示す制御信号をプリアンブル生成部１５２へ出力する。制御信号を受信したプリアンブル生成部１５２は、短縮されたプリアンブルと送信元を示すアドレスとを生成し、送信パケット生成部１５１へ出力する。送信パケット１５１は、送信フレーム生成部１６１からのフレーム信号に、プリアンブル生成部１５２からのプリアンブルと送信元アドレスを付加して、送信パケットを生成し、Ｔ／Ｒスイッチ１４へ出力する。
【００５６】
図３を参照して、階層毎のフレーム構成について説明する。図３（ａ）及び（ｂ）は、物理フレームのアプリケーション層に相当するフレーム構成を詳細に示す図である。アプリケーション層のフレームは、各無線装置の動作を制御する制御フレームや、温度などの実データを送信するデータフレームなどがあり、ヘッダにフレームの種類が記述されており、この記述にてフレームの種類を判定するのに用いる。
【００５７】
図３（ａ）は、プリアンブル長短縮要求を示す制御フレームの構成を示す。その制御フレームは、フレーム種類とフレーム長を備えるヘッダと、プリアンブル長短縮後のプリアンブルの長さを示すプリアンブル長とプリアンブル長短縮要求を出したアドレスを示す送信先アドレスとを備える送信先アドレスとを備える。
【００５８】
図３（ｂ）は、データ送受信時のフレーム（言い換えれば、データフレーム）構成を示す図である。データフレームは、フレーム種類とフレーム長を備えるヘッダと、実際に送信するデータ、例えばセンサーネットワークであれば温度情報などの情報と実際に温度情報を取得した時間を示す取得時間とを備えるペイロードとを備える。
【００５９】
尚、実際の装置ではコマンドの種類は様々あるが、本実施形態ではプリアンブル長短縮要求のコマンドのみを想定して説明している。このようなコマンドは、図３（ａ）に示されるフレームにより構成される。プリアンブル長短縮要求フレームは、例えば、周囲の無線端末（２０ａ乃至２０ｃ等）から無線端末１０宛ての送信パケットのプリアンブル長を短縮することを求めるものである。
【００６０】
図２に戻り説明を続ける。フレーム種類判定部１７１は、同期検出部１５３から出力されたフレームが、例えば、温度等の環境情報、又はＨｅｌｌｏパケット等の非コマンドのデータである場合、該フレームの物理層のＰＳＤＵよりアプリケーション層のデータを切り出し、切り出したデータとＰＳＤＵ内のデータ送信元アドレス情報とをデータ格納部１７３に格納する。データ格納部１７３は、送信元アドレス情報を隣接端末テーブル１７４へ出力する。隣接端末テーブル１７４では、送信元アドレス情報をテーブル化して、隣接する無線端末の情報として格納する。ここに、隣接する無線端末とは、無線装置１０の近傍に配置され、且つ無線装置１０に対してパケットの送信を行う無線端末（例えば、図１に記載される無線端末２０ａ乃至２０ｃ等）を示す趣旨である。
【００６１】
図４を参照して、隣接端末テーブル１７４の構成について説明する。図４は、隣接端末テーブル１７４のテーブル構成の一例を示す図である。隣接端末テーブル１７４は、グループＩＤ、ＭＡＣアドレス、ネットワークアドレス及びデバイスタイプ等を一覧にした構成を採っている。グループＩＤは、各フレームについて、ＮＷＫフレームのヘッダに含まれるネットワークアドレス毎にグループ化し、該グループ化したネットワークアドレス毎に割り当てられる識別用のＩＤ番号である。ＭＡＣアドレスは、ＭＡＣフレームのヘッダにあるＭＡＣアドレスを抽出したものである。ネットワークアドレスは、ネットワークフレームにあるＮＷＫヘッダを抽出したものである。デバイスタイプは、アプリケーションフレームのアプリケーションヘッダから抽出したものである。尚、隣接端末テーブル１７４は、上述したの情報に加えて、例えば、ＲＳＳＩ等の他の情報を一覧に加えてもよい。
【００６２】
図２に戻り説明を続ける。パケット密度判定部１７６は、例えば、隣接端末テーブル１７４を定期的に参照し、当該無線装置１０に隣接して配置される端末の台数（言い換えれば、配置数）を取得する。パケット密度判定部１７６は、該隣接端末の配置数について閾値を設定し、該閾値と比較を行うことでパケット密度の判定を行う。隣接装置の配置数が閾値よりも大きくなる場合、パケット密度判定部１７６は、パケット密度が比較的高いと判断し、プリアンブル長の短縮を要求する信号を送信フレーム生成部１６２へ出力する。
【００６３】
送信フレーム生成部１６１は、該要求信号を受信した場合、図３（ａ）に示すようなフレーム種類とフレーム長を備えたヘッダとプリアンブル長と送信先アドレスとを備え、ペイロードを有するプリアンブル長短縮要求フレームを、送信パケット生成部１５１へ出力する。送信パケット生成部１５１は、受信したプリアンブル長短縮要求フレームにプリアンブル生成部１５２において生成されるプリアンブルを付加して、Ｔ／Ｒスイッチ１４、アンテナ切替スイッチ１３及び第１アンテナ１１又は第２アンテナ１２を介して送信する。
【００６４】
パケット密度判定部１７６は、送信フレーム生成部１６２へプリアンブル長の短縮を要求する信号を出力した後に、受信帯域フィルタ１５４に対して帯域を変更する変更信号を出力する。受信帯域フィルタ１５４は、帯域の変更信号に応じて不図示のレジスタに登録されている値を変更することで、フィルタ帯域を変更するように設定する。例えば、パケット密度判定部１７６は、送信フレーム生成部１６２へプリアンブル長の短縮を要求する信号を出力した後に、受信帯域フィルタ１５４に対して帯域を拡大する変更信号を出力する。受信帯域フィルタ１５４は、該変更信号に応じてレジスタ値を変更することで、フィルタ帯域を拡大する。
【００６５】
パケット密度判定部１７６は、隣接端末テーブル１７４のテーブルから、隣接する無線端末の台数が閾値よりも小さい場合で、以前プリアンブル長を短縮する要求信号を送信済みであれば、プリアンブル長を拡大する拡大要求を示す要求信号をプリアンブル長制御部１６２へ出力する。送信フレーム生成部１６１は、その要求信号により、図５に示すようなフレーム種類とフレーム長を備えたヘッダと、拡大後のプリアンブル長と送信先アドレスを備えたペイロードを有するフレームを、送信パケット生成部１５１へ出力する。送信パケット生成部１５１は、送信フレーム生成部１６１からのフレームにプリアンブル生成部１５２からのプリアンブルを付加して、Ｔ／Ｒスイッチ１４、アンテナ切替スイッチ１３及び第１アンテナ１１又は第２アンテナ１２を介して送信する。
【００６６】
パケット密度判定部１７６は、送信フレーム生成部１６２へプリアンブル長の拡大を要求する信号を出力した後に、受信帯域フィルタ１５４に対して帯域を縮小する変更信号を出力する。受信帯域フィルタ１５４は、該変更信号に応じてレジスタ値を変更することで、フィルタ帯域を縮小する。
【００６７】
ＲＳＳＩ検出部１５５は、受信帯域フィルタ１５４を通過したプリアンブルから、受信パケットの信号強度であるＲＳＳＩを検出し、当該ＲＳＳＩ値と、アンテナ制御信号生成部１９からのアンテナ制御信号からのアンテナ情報とを、ＲＳＳＩ格納部１７５へ出力する。
つまり、無線装置１０は、ダイバーシチ受信において、パケット先頭のプリアンブルで、第１アンテナ１１及び第２アンテナ１２のいずれかにアンテナ切替スイッチ１３で切り替え、無線信号を受信する。ＲＳＳＩ格納部１７５では、格納されたＲＳＳＩ値とアンテナ情報（第１アンテナ１１、第２アンテナ１２のどちらで受信したか）を格納する。
【００６８】
ＲＳＳＩ大小判定部１７７は、ＲＳＳＩ格納部１７５で格納されている第１アンテナ１１、第２アンテナ１２でＲＳＳＩ値の大小を比較し、プリアンブル以降の信号をどちらのアンテナで受信するか決定する。ＲＳＳＩ大小判定部１７７は、決定したアンテナ情報をアンテナ制御信号生成部１９に出力し、アンテナ切替スイッチ１３を制御することで、無線部１５でパケットのプリアンブル以降の信号を受信するように制御する。
【００６９】
上述した無線装置１０の動作により送受信されるパケットは、無線センサネットワークにおいて用いられる、例えばＩＥＥＥ８０２．１５．４ｄ等の公知の規格に沿ったフレームフォーマットを有するものであってよい。図５は、各階層でのフレーム構成を示す図である。図５では、パケットの一例であるＩＥＥＥ８０２．１５．４ｄ規格に沿ったフレームフォーマットを物理フレームにて、概略的に示している。
【００７０】
図５に示されるように、パケット、つまり物理フレームは、プリアンブル（Preamble）、同期語となるＳＦＤ（Start Frame Delimiter）、フレーム長を格納するLength、規格上で予約されるReservedを備える物理ヘッダと、データが格納されるペイロードであるＰＳＤＵ（PHY Service Data Unit）とを備える。ＭＡＣフレームは、物理フレームの上位の階層で、物理フレームのペイロードにそのまま入り、ＭＡＣヘッダとペイロードとを備える。ＮＷＫ（ネットワーク）フレームは、ＭＡＣフレームの上位階層のフレームで、ＭＡＣフレームのペイロードにそのまま入り、ＮＷＫヘッダとペイロードとを備える。アプリケーションフレームは、ＮＷＫフレームの上位階層フレームで、ＮＷＫフレームのペイロードにそのまま入り、アプリケーションヘッダとペイロードとを備える。
【００７１】
プリアンブルは、規格等により設定される所定のデータ長を有するものの、実質的なデータを含まない区間である。尚、以降の説明においては、図１において無線装置２０から無線装置１０に対してパケットを送信する際のプリアンブル長を８ｂｙｔｅであると仮定する。
【００７２】
無線装置１０のＲＳＳＩ測定部１５５は、このような８ｂｙｔｅのプリアンブルを受信している期間内に、第１及び第２アンテナ１１、１２の夫々についてＲＳＳＩを検出する。具体的には、ＲＳＳＩ測定部１５５は、プリアンブル内の所定のデータ長部分を受信している間に第１アンテナ１１のＲＳＳＩを測定し、続く所定のデータ長部分を受信している間に第２アンテナ１２のＲＳＳＩを測定する。その後の所定のデータ長部分を受信している間に、第１及び第２アンテナ１１、１２のＲＳＳＩを比較して、パケットのＰＳＤＵのデータを受信するために用いるアンテナを選択する。
【００７３】
図２に示す無線装置１０について、図６参照して、動作の流れを説明する。図６は、無線装置１０の動作の流れを示すフローチャートである。
【００７４】
無線装置１０は、信号の送受信動作において、通常の動作として第１及び第２アンテナ１１、１２についての選択ダイバーシチ受信方式の制御をアンテナ制御信号生成部１９の動作により行う。アンテナ制御信号生成部１９は、信号の受信時に、アンテナ制御信号をアンテナ切替スイッチ１３へ送信することで、適宜受信のために用いるアンテナの切り替えを行っている（ステップＳ１０１）。
【００７５】
無線装置１０は、第１及び第２アンテナ１１、１２、受信帯域フィルタ１５４を介して、パケットを受信する（ステップＳ１０２）。同期検出部１５３は、受信帯域フィルタ１５４を介して、得られた受信パケット中の同期語を検出し、同期語以降のペイロードをフレーム種類判定部１７１へ出力する（ステップＳ１０３）。
【００７６】
フレーム種類判定部１７１は、同期検出部１５３からのペイロードから、図３に示すアプケーションフレームのヘッダを抽出し、該ヘッダに含まれるフレーム種類を示す情報を参照して、該ペイロードがコマンドかデータかを判定する（ステップＳ１０４）。
【００７７】
フレーム種類判定部１７１は、該ヘッダからコマンドと判定されると、該ペイロードをコマンド処理部１７２へ出力し、データと判定されると、該ペイロードをデータ格納部１７３に格納する（ステップＳ１０５）。
【００７８】
データ格納部１７３は、該ペイロードに含まれる情報に基づいてパケットの送信元アドレスを隣接端末テーブル１７４に登録する（ステップＳ１０６）。パケット密度判定部１７６は、隣接端末テーブル１７４に登録されている送信元アドレスの数を定期的に参照する（ステップＳ１０７）。該送信元アドレスの数からは、無線端末１０に対してパケットを送信する端末数を算出することが出来る。
【００７９】
パケット密度判定部１７６は、隣接端末テーブル１７４のテーブルから、隣接する無線端末の配置数を取得し、所定の閾値と比較を行う（ステップＳ１０８）。隣接する無線端末の配置数が閾値を越える場合（ステップＳ１０８：Ｙｅｓ）、Ｓ１０９への処理へ進み、閾値を越えない場合（ステップＳ１０８：Ｎｏ）には、Ｓ１１３の処理へ進む。
【００８０】
隣接する無線端末の配置数が閾値を越える場合（ステップＳ１０８：Ｙｅｓ）パケット密度判定部１７６は、プリアンブル長短縮要求を以前に送信しているか否かを確認する（ステップＳ１０９）。送信済みでない場合（ステップＳ１０９：Ｎｏ）、Ｓ１１０の処理に進み、送信済みの場合（ステップＳ１０９：Ｙｅｓ）には、Ｓ１０１への処理へ戻る。
【００８１】
パケット密度判定部１７６は、プリアンブル長短縮要求を以前に送信済みでない場合（ステップＳ１０９：Ｎｏ）、プリアンブル長を短縮する要求信号を送信フレーム生成部１６２へ出力する。送信フレーム生成部１６１は、その要求信号により、図３（ａ）に示すようなフレーム種類とフレーム長を備えたヘッダとプリアンブル長と送信先アドレスを備えたペイロードを有するフレームを、送信パケット生成部１５１へ出力する。送信パケット生成部１５１は、送信フレーム生成部１６１からのフレームにプリアンブル生成部１５２からのプリアンブルを付加して、Ｔ／Ｒスイッチ１４、アンテナ切替スイッチ１３及び第１アンテナ１１又は第２アンテナ１２を介して送信する（ステップＳ１１０）。
【００８２】
パケット密度判定部１７６は、送信フレーム生成部１６２へ、プリアンブル長を短縮する要求信号を出力した後に、受信帯域フィルタ１５４へ帯域を変更する変更信号を出力する。受信帯域フィルタ１５４は、拡大変更信号を受信すると、帯域を変更するようにレジスタ値を変更してフィルタ帯域を拡大するように設定し、Ｓ１０１の処理へ戻る（ステップＳ１１１）。
【００８３】
パケット密度判定部は、プリアンブル長短縮要求を以前に送信しているか否かを確認する（ステップＳ１１２）。送信済みの場合（ステップＳ１１２：Ｙｅｓ）、Ｓ１１４の処理に進み、送信していない場合（ステップＳ１１２：Ｎｏ）には、Ｓ１０１への処理へ戻る。
【００８４】
パケット密度判定部１７６は、プリアンブル長短縮要求送信済みである場合（ステップＳ１１２：Ｙｅｓ）、プリアンブル長を拡大する拡大要求を示す制御信号をプリアンブル長制御部１６２へ出力する。送信フレーム生成部１６１は、その制御信号により、図５に示すようなフレーム種類とフレーム長を備えたヘッダと、拡大後のプリアンブル長と送信先アドレスを備えたペイロードを有するフレームを、送信パケット生成部１５１へ出力する。送信パケット生成部１５１は、送信フレーム生成部１６１からのフレームにプリアンブル生成部１５２からのプリアンブルを付加して、Ｔ／Ｒスイッチ１４、アンテナ切替スイッチ１３及び第１アンテナ１１又は第２アンテナ１２を介して送信する（ステップＳ１１３）。
【００８５】
パケット密度判定部１７６は、プリアンブル長を拡大する拡大要求を示す制御信号をプリアンブル長制御部１６２へ出力した後に、受信帯域フィルタ１５４へ帯域を縮小変更する縮小変更信号を出力する。受信帯域フィルタ１５４は、縮小変更信号を受信すると、帯域を縮小変更するようにレジスタ値を変更してフィルタ帯域を縮小するように設定し、Ｓ１０１の処理へ戻る（ステップＳ１１４）。
【００８６】
無線装置１０は、信号の送受信動作時に、近傍の無線装置２０の配置数を取得する（ステップＳ１０３）。これは、例えば、メモリ内の近傍の無線装置２０についての配置状況を格納するデータベース等を参照することで実施される。このとき、無線装置１０は、周囲の無線装置２０ａ乃至２０ｃ等との間でＨｅｌｌｏパケット等のパケット交換を行うことで、隣接する装置の配置数を適宜取得し、隣接端末テーブル１７４の更新を行うことが好ましい。
【００８７】
取得した近傍の無線装置２０の配置数が所定の閾値を越える場合（ステップＳ１０４：Ｙｅｓ）、無線装置１０は、周囲の無線装置２０に対して、送信パケットのプリアンブル長を短縮するプリアンブル長短縮要求を送信する。このとき、無線装置１０は、当該無線装置１０との間でパケットを送受信する無線装置２０の全てに対してプリアンブル長短縮要求を送信するために、所謂ブロードキャスト送信方式でプリアンブル長短縮要求を送信してもよい。
【００８８】
図７を参照して、ランダムにパケット送信によるパケット衝突後のプリアンブル長短縮要求のブロードキャスト送信と、各無線装置２０からのパケット送信の態様について、時系列的な関係を説明する。図７は、無線装置１０と、無線装置２０ａ乃至ｃとがＣＳＭＡ／ＣＡ方式でのパケットの送受信を行っている際の時系列的なパケット送受信の態様を示す図である。
【００８９】
図７では、無線装置１０の周辺にある無線装置２０ａ乃至ｃがランダムに、無線装置１０に対して、パケットを送信した場合、無線端末１０で受信される無線端末２０ｂと２０ｃのパケットとが衝突してしまう。
その後、無線端末１０は、プリアンブル長短縮要求を無線端末２０ａ乃至ｃにブロードキャスト送信する。ブロードキャスト送信によれば、複数の送信先に同時に信号が送信されるため、図７に示されるように、無線装置２０ａ乃至ｃの夫々は、略同一の時刻にプリアンブル長短縮要求を受信する。
【００９０】
プリアンブル長送信要求として送信されるブロードキャストパケットは、無線装置１０のアドレスと、無線装置１０にパケットを送信する際のプリアンブル長を示す情報を含む。これらの情報を受信した無線装置２０は、該パケットをプリアンブル長送信要求であると認識して、以降、無線装置１０に対して信号送信を行う際には、パケットのプリアンブル長をブロードキャストパケット内に格納されるプリアンブル長に設定する。上述のように通常８ｂｙｔｅにプリアンブル長が設定される通信ネットワ−クでは、例えば短縮後のプリアンブル長を４ｂｙｔｅに設定する。尚、ブロードキャスト送信は、送信時の態様の一例に過ぎず、無線装置１０は、送信先となる無線装置２０の全てに対して確実に、更により好適には迅速にプリアンブル長短縮要求を送信可能であるならば、その他何らかの態様で送信してもよい。
【００９１】
プリアンブル長短縮要求を受信した無線端末２０ａ乃至ｃは、無線端末１０に対してパケットを送信する際には、短縮要求に応じて設定されるプリアンブル長を付加した、以前より全体のパケット長が短いパケットを送信する。
【００９２】
無線装置１０の動作により、各無線装置２０が無線装置１０に対して送信するパケットのプリアンブル長が短くなると、無線装置１０側で受信する個々のパケットの長さが短くなる。図７に示されるように、これによって個々のパケットが空間上を占める割合が低下するため、無線装置１０は、プリアンブル長の短縮前と比較してより多くのパケットを受信可能となる。
【００９３】
無線端末１０は、他の無線装置２０に対してプリアンブル長短縮要求を送信すると共に、短いプリアンブル長であっても受信のための適切なアンテナを選択するダイバーシチ制御が可能となるように、受信フィルタ１５４の帯域を既定値よりも広く設定する。例えば、１５０ｋＨｚ帯域幅であれば、２００ｋＨｚ帯域幅に変更する。
【００９４】
また、フィルタ帯域制御部１６４は、先のプリアンブル長短縮要求において指示したプリアンブル長の短縮分に応じて、受信フィルタ１５４の帯域の拡大分を決定してもよい。後述するように、短縮要求によって短縮されたプリアンブルの受信期間において、第１及び第２アンテナ１１、１２の夫々についてＲＳＳＩを適切に測定し、受信に用いる好適なアンテナを選択可能であれば受信フィルタ１５４の帯域の拡大分は適宜設定されてよい。
【００９５】
無線装置１０内の受信フィルタの周波数帯域を変更する前に、周囲の無線装置から送信されるパケット長を変更することを実施することで、パケット長変更を指示した後のパケット衝突を確実に回避できるという効果がある。、
図８及び図９を参照して、受信フィルタの帯域を変更した場合の無線装置１０の動作への影響について説明する。図８（ａ）は、無線装置１０のＲＳＳＩ測定部１５５において検出される受信信号の帯域について、受信フィルタ帯域幅を図６のステップＳ１１１の処理による拡大設定が行われていない既定値のままである通常時（下部）と、帯域拡大時（上部）との両方の場合について示す図である。図８（ａ）では、横軸にＲＳＳＩ測定部１５５において検出される受信信号の周波数を示している。また、図８（ｂ）は、縦軸に検出される受信信号の出力、横軸に時間をプロットし、受信フィルタ１５４の通過帯域の通常時と帯域拡大時とについて、検出される受信信号の出力の応答時間の違いを示している。
【００９６】
図８（ａ）に示されるように、ＲＳＳＩ測定部１５５は、受信フィルタ１５４の帯域拡大時には、通常時と比較して、より広い周波数の信号を検出可能となる。このため、図８（ｂ）に示されるように、ＲＳＳＩ測定部１５５において検出される受信信号の出力は、帯域拡大時には、応答性が向上し、パルス形状が明確なものとなる。他方で、通過帯域が通常時である場合には、検出される出力の応答時間が帯域拡大時よりも遅く、パルス形状が崩れ、検出し難い三角波等の形状に近付く。
【００９７】
信号受信から該信号のＲＳＳＩを検出するまでには、ＡＧＣ（自動利得調整）設定時間、ＲＳＳＩ安定に分けて考えることができる。安定したＲＳＳＩを出力するには、ＡＧＣを複数回調整する必要がある。図示されていないＡＧＣ(Auto Gain Control)回路では、信号振幅を調整して、その調整が収束するまでの時間をＡＧＣ設定時間と呼ばれる設定時間が必要となる。
【００９８】
図９（ａ）に示される、比較的受信フィルタ１５４の通過帯域が狭い通常時の例では、信号受信（時刻Ｔ０）からＲＳＳＩ安定（時刻Ｔ１）までの期間がＡＧＣ設定時間でもあるＲＳＳＩ安定時間となる。言い換えれば、このようなＲＳＳＩ安定時間がパケットのプリアンブル受信期間内において確保出来ない場合、適切にＲＳＳＩを検出出来ず、受信に用いるアンテナの選択が適切に実施されない可能性がある。
【００９９】
他方で、受信フィルタ１５４の通過帯域拡大時には、出力波形の応答が通常時と比較して高速となるため、フィードバック制御に要する時間が通常時より短くなる。図９（ｂ）示される例では、通常時と同時刻（時刻Ｔ０）に受信した信号について、時刻Ｔ１より早い時刻Ｔ２にはＲＳＳＩ安定に到達できる。そのため、受信フィルタの帯域幅を広く設定することによりＡＧＣ調整時の応答を短くすることができ、結果、ＲＳＳＩ応答速度を速くし、アンテナ切り替え時間を短く設定することが可能となる。
従って、プリアンブル短縮時においても、適切なＲＳＳＩの検出が可能となり、ダイバーシチ制御による適切なアンテナの選択を実行可能となる。
【０１００】
無線装置１０の受信フィルタ１５３の通過帯域は、初期設定時においては信号受信のために求められる信号対雑音比を損なわない程度に狭く設定される。通過帯域を広く設定することで、もともとの通過帯域に隣接する周波数帯域の他の信号についても通過し、該信号が雑音として入力されることで、結果として無線装置１０の通信可能距離が低下するためである。
【０１０１】
しかしながら、無線装置１０は、空間を占めるパケットの占有率が充分高いと判断可能な程度に周囲の無線装置２０の設置台数が多い状況下におかれる場合がある。このように無線装置１０及び２０が密集している状態であれば、無線装置１０と通信する他の無線装置２０との距離は比較的近いと判断出来る。このため、受信フィルタ１５４の通過帯域を拡大することに起因する雑音電波による通信可能距離の低下は無線装置１０の運用上問題とならないと判断出来る。更に、このように無線装置１０及び２０が密集するエリアにおいては、長い通信距離による信号減衰よりも、マルチパスによる信号の受信電力の減衰の方が受信上の大きな技術的問題であると考えられる。かかるマルチパスによる信号の受信電力の減衰については、より受信に適したアンテナを選択する選択ダイバーシチ方式により対処可能であるため、無線装置１０によれば好適な通信を実現可能となる。
【０１０２】
尚、上述したプリアンブル長拡大要求とは、プリアンブル長短縮要求によって短縮されたプリアンブル長を短縮前の状態、言い換えれば通常時のプリアンブル長に戻す設定することを要求する趣旨である。無線装置１０は、空間中のパケット占有率が低いと判断される場合には、プリアンブル長を短縮すること、及びそれに伴って受信フィルタの通過周波数帯域を拡大することによって、信号の受信効率が必ずしも向上しない場合がある。そこで、無線装置１０は、空間中のパケット占有率が低いと判断される場合には、近傍の無線装置２０に対して短縮したプリアンブル長を短縮前の状態に戻すプリアンブル長拡大要求を送信し、受信フィルタの通過周波数帯域を拡大前の状態に戻す設定を行う。
【０１０３】
無線装置１０において設定する短縮後のプリアンブル長は、少なくとも無線装置１０においてダイバーシチ制御による効果が享受可能なデータ長を下限とすることが好ましい。無線装置１０のＲＳＳＩ測定部１５５によって測定されるアンテナ毎のＲＳＳＩ値の測定時間は、アンテナ毎にＲＳＳＩ値の測定開始からＲＳＳＩ値が安定して、精確なＲＳＳＩ値が検出可能となるまでの所謂ＲＳＳＩ安定時間に依存する。かかるＲＳＳＩ安定時間の長さは、ＲＳＳＩ測定部１５５においてより多くの周波数帯域を参照することで、短くなる。尚、受信フィルタ１５４の通過周波数帯域は、装置毎に設定される範囲で適宜設定可能である。
【０１０４】
従って、例えば、短縮後のプリアンブル長の下限は、拡大後の通過周波数帯域を充分に広く設定した上で、該設定においてＲＳＳＩ安定時間が最短となる値の、無線装置１０のアンテナの本数分の倍数に相当する値であることが好ましい。
【０１０５】
また、拡大後の通過周波数帯域については、通過周波数帯域の拡大によって増大する雑音電力の増大による雑音利得と、アンテナダイバーシチ制御によって得られる利得とのトレードオフによって設定されることが好ましい。例えば、雑音利得と、アンテナダイバーシチ利得とが等価となる通過周波数帯域を上限とする。
【０１０６】
尚、無線装置１０の動作については、上述したＩＥＥＥ８０２．１５．４ｄ規格に沿ったフレームフォーマットを有する者に限られず、プリアンブル長を変更可能なフレームフォーマットを有するパケットを送受信する通信プロトコルを採用する無線装置であれば適宜適用可能である。
【０１０７】
尚、図６に示す無線装置１０の動作の流れにおいては、無線装置１０の近傍の無線装置２０の配置数に基づいて、パケット密度の判定を行っている。しかしながら、上述のように、無線装置２０から送信される信号のＲＳＳＩ値や、無線装置１０内での信号の再送回数等、その他何らかの要素に基づいてパケット密度の判定を行ってもよい。
【０１０８】
（３）無線通信システムの実施例
開示の無線装置と管理装置とを含む無線通信システム２の構成例について、図１１を参照して説明する。図１１に示される無線通信ネットワーク２は、相互に無線通信が可能な複数の無線装置を含むネットワークである。尚、図１１において、図１に記載されるものと同様の構成については、同一の番号を付して説明を省略している。
【０１０９】
図１０に示されるように、無線通信ネットワーク２は、無線装置１０及び２０のネットワーク上の上位ノードとして、無線装置１０及び２０の動作を管理するコーディネータ３０を備える。コーディネータ３０は、開示の管理装置の一例であって、通常センサネットワークなどネットワーク管理などを行う装置であり、ひとつのネットワークに無線装置として少なくとも一台配置される。尚、コーディネータ３０は、好適な一形態として、無線装置１０及び２０の夫々に接続され、無線装置１０及び２０と上位のコアネットワークとの間でデータの送受信の制御を行うアクセスポイントやゲートウェイ等であってもよい。また、コーディネータ３０は、無線通信ネットワーク２内の無線装置１０又は２０が収集した温度や湿度等の環境情報を収集する装置などであってもよい。以降、コーディネータ３０からの管理の対象となる無線通信ネットワーク２に属する無線装置１０又は２０については、便宜上、コーディネータ３０の配下の無線装置１０又は２０と記載して説明する。
【０１１０】
図１１にコーディネータ３０のハードウェア構成と、各構成が有する機能について便宜上の機能部とを示す。コーディネータ３０は、無線装置１０と同等のハードウェア及び機能部を有していてもよい。即ち、コーディネータ３０は、上述したネットワーク管理を行うためのハードウェア構成及び機能と共に又は独立して、図２に示したような無線装置１０と同等のハードウェア及び機能を有していてよい。尚、コーディネータ３０が有するネットワーク管理を行うための構成については、例えば公知のものであってよく、以下の説明とは関連が薄いため説明を省略している。
【０１１１】
図１１に示されるように、コーディネータ３０は、第１アンテナ３１と、第２アンテナ３２と、アンテナ切替スイッチ３３と、Ｔ／Ｒスイッチ３４と、無線部３５と、無線制御部３６とを備える。無線部３５は、送信パケット生成部３５１と、プリアンブル生成部３５２と、同期検出部３５３と、受信帯域フィルタ３５４と、ＲＳＳＩ検出部３５５とを備える。無線制御部３６は、送信フレーム生成部３６１と、プリアンブル長制御部３６２と、受信フレーム処理部３７と、送受信切替信号生成部３８と、アンテナ制御信号生成部３９とを備える。受信フレーム処理部３７は、フレーム種類判定部３７１と、コマンド処理部３７２と、データ格納部３７３と、隣接端末テーブル３７４と、ＲＳＳＩ格納部３７５と、パケット密度判定部３７６と、ＲＳＳＩ大小判定部３７７とを備える。尚、各部の具体的な構成及び機能は、無線装置１０の各部と同様であってよい。
【０１１２】
図１２及び図１３を参照して、無線通信ネットワーク２における無線装置１０及びコーディネータ３０の動作の流れについて説明する。図１２は、無線通信ネットワーク２における無線装置１０の動作の流れを示すフローチャートであり、図１３は、無線通信ネットワーク２におけるコーディネータ３０の動作の流れを示すフローチャートである。
【０１１３】
上述した無線通信ネットワーク１においては、無線装置１０が近傍の無線装置２０の配置数を取得し、閾値を超える場合にプリアンブル長短縮要求を送信していたが、無線通信ネットワーク２においては、閾値を超える場合は、無線装置１０は、プリアンブル長短縮要求を一度コーディネータ３０に送信する。無線装置１０の具体的な動作の流れは以下の通りとなる。
【０１１４】
無線装置１０は、信号の送受信動作において、通常の動作として第１及び第２アンテナ１１、１２についての選択ダイバーシチ受信方式の制御をアンテナ制御信号生成部１９の動作により行う（ステップＳ２０１）。
【０１１５】
無線装置１０は、第１及び第２アンテナ１１、１２、受信帯域フィルタ１５４を介して、パケットを受信する（ステップＳ２０２）。同期検出部１５３は、受信帯域フィルタ１５４を介して、得られた受信パケット中の同期語を検出し、同期語以降のペイロードをフレーム種類判定部１７１へ出力する（ステップＳ２０３）。
【０１１６】
フレーム種類判定部１７１は、同期検出部１５３からのペイロードから、図３に示すアプケーションフレームのヘッダを抽出し、該ヘッダに含まれるフレーム種類を示す情報を参照して、該ペイロードがコマンドかデータかを判定する（ステップＳ２０４）。
【０１１７】
フレーム種類判定部１７１は、該ペイロードがコマンドであればコマンド処理部１７２へ出力し、データであればデータ格納部１７３に格納する（ステップＳ２０５）。
【０１１８】
データ格納部１７３は、該ペイロードに含まれる情報に基づいてパケットの送信元アドレスを隣接端末テーブル１７４に登録する（ステップＳ２０６）。パケット密度判定部１７６は、隣接端末テーブル１７４に登録されている送信元アドレスの数を定期的に参照する（ステップＳ２０７）。
【０１１９】
パケット密度判定部１７６は、隣接端末テーブル１７４のテーブルから、隣接する無線端末の配置数を取得し、所定の閾値と比較を行う（ステップＳ２０８）。隣接する無線端末の配置数が閾値を越える場合（ステップＳ２０８：Ｙｅｓ）、Ｓ２０９への処理へ進み、閾値を越えない場合（ステップＳ２０８：Ｎｏ）には、Ｓ２１３の処理へ進む（ステップＳ２０８）。
【０１２０】
取得した近傍の無線装置２０の配置数が所定の閾値を越える場合（ステップＳ２０８：Ｙｅｓ）、無線装置１０のパケット密度判定部１７６は、プリアンブル長短縮要求を以前に送信しているか否かを確認する（ステップＳ２０９）。送信済みでない場合、Ｓ２１０の処理に進み、送信済みの場合には、Ｓ２０１への処理へ戻る。
【０１２１】
パケット密度判定部１７６は、プリアンブル長短縮要求を以前に送信済みでない場合（ステップＳ２０９：Ｎｏ）、プリアンブル長を短縮する要求信号を送信フレーム生成部１６２へ出力する。送信フレーム生成部１６１は、その要求信号に基づくフレームを、送信パケット生成部１５１へ出力し、該フレームを受信した送信パケット生成部１５１は、プリアンブル生成部１５２からのプリアンブルを付加して、コーディネータ３０に対して送信する（ステップＳ２１０）。
【０１２２】
後に詳述する通り、コーディネータ３０は、無線装置１０からのプリアンブル長短縮要求の受信数が所定の閾値を超える場合、無線装置１０及び無線装置１０と通信する無線装置２０に対して、プリアンブル長短縮指示を行う。尚、このときのプリアンブル長短縮指示には、短縮後のプリアンブル長と、送信データのプリアンブル長を短縮する送信先が合わせて指示される。
【０１２３】
尚、コーディネータ３０は、配下の無線装置１０及び２０全体に対して、ユニキャストやブロードキャスト等の態様でプリアンブル長短縮指示を送信するため、無線装置１０も他の無線装置２０に対する信号送信時のプリアンブル長を短縮する指示を受信する可能性がある（ステップＳ２１１）。プリアンブル長短縮指示を受信した無線装置１０は、該指示によって指定される送信先に対して信号を送信する際に、パケットに付加するプリアンブル長を指示されたデータ長に短縮する設定を行う（ステップＳ２１２）。更に、無線装置１０は、フィルタ帯域制御部１６４の制御の下、受信フィルタ１５４の帯域を広く設定する（ステップＳ２１３）。そして、信号の送受信を継続する。
【０１２４】
他方で、近傍の無線装置２０の配置数が所定の閾値以下である場合（ステップＳ２０８：Ｎｏ）、パケット密度判定部１７は、無線装置１０の近傍のパケット密度が高くないと判断する。このとき、無線装置１０は、コーディネータ３０から送信されるプリアンブル長短縮指示を既に受信済みであり、該指示に応じて送信時のプリアンブル長短縮設定を既に実施しているか否かを判定する（ステップＳ２１４）。プリアンブル長短縮設定を実施済みである場合（ステップＳ２１４：Ｙｅｓ）、無線装置１０は、コーディネータ３０に対して、プリアンブル長を拡大するプリアンブル長拡大要求を送信する（ステップＳ２１５）。該プリアンブル長拡大要求は、例えば、プリアンブル長を、プリアンブル長短縮指示に応じて短縮したデータ長から、短縮前の（言い換えれば、通常通信時の）データ長に拡大する要求である。
【０１２５】
後に詳述する通り、コーディネータ３０は、無線装置１０から受信するプリアンブル長拡大要求に応じて、配下の無線装置１０及び無線装置２０に対して、プリアンブル長拡大指示を送信する。尚、このときのプリアンブル長拡大指示には、拡大後のプリアンブル長と、送信データのプリアンブル長を拡大する送信先とが合わせて指示される。
【０１２６】
プリアンブル長拡大指示を受信した無線装置１０は（ステップＳ２１６）、該指示によって指定される送信先に対して信号を送信する際に、パケットに付加するプリアンブルを指示されたデータ長に拡大する設定を行う（ステップＳ２１７）。更に、無線装置１０は、フィルタ帯域制御部１６４の制御の下、受信フィルタ１５４の帯域を縮小する設定を行う（ステップＳ２１８）。そして、信号の送受信を継続する。
【０１２７】
他方で、無線装置１０の近傍の無線装置２０の配置数が所定の閾値以下であり（ステップＳ２０４：Ｎｏ）、且つプリアンブル長短縮設定を実施していない（ステップＳ２０９：Ｎｏ）場合、無線装置１０は、受信フィルタの帯域等に変更を加えることなく、信号の送受信を継続する（ステップＳ２１４）。
【０１２８】
続いて、図１３を参照して、無線通信ネットワーク２において、プリアンブル長短縮要求等を受信するコーディネータ３０の動作について説明する。
【０１２９】
図１３に示されるように、コーディネータ３０は、信号の送受信動作において、通常の動作として第１及び第２アンテナ３１、３２についての選択ダイバーシチ受信方式の制御をアンテナ制御信号生成部３９の動作により行う（ステップＳ３０１）。
【０１３０】
コーディネータ３０は、第１及び第２アンテナ３１、３２及び受信帯域フィルタ３５４を介して、パケットを受信する（ステップＳ３０２）。同期検出部３５３は、受信帯域フィルタ３５４を介して、得られた受信パケット中の同期語を検出し、同期語以降のペイロードをフレーム種類判定部３７１へ出力する（ステップＳ３０３）。
【０１３１】
フレーム種類判定部３７１は、同期検出部３５３からのペイロードがコマンドかデータかを判定する（ステップＳ２０４）。
【０１３２】
フレーム種類判定部３７１は、該ペイロードがコマンドであればコマンド処理部３７２へ出力し、データであればデータ格納部３７３に格納する（ステップＳ３０５）。
【０１３３】
このとき、コーディネータ３０は、配下の無線装置１０及び２０から送信されるプリアンブル長短縮要求又はプリアンブル長拡大要求数をカウントする。コーディネータ３０は、これらのプリアンブル長短縮要求及びプリアンブル長拡大要求の受信数に夫々閾値を設定する。
【０１３４】
プリアンブル長短縮要求の受信回数が閾値を超える場合（ステップＳ３０６：Ｙｅｓ）、コーディネータ３０は、配下の無線装置１０及び２０に対して、プリアンブル長短縮指示を送信する（ステップＳ３０７）。プリアンブル長短縮指示を受信した配下の無線装置１０及び２０は、上述したように夫々送信時のプリアンブル長を短縮する設定を行う。また、コーディネータ３０も、配下の無線装置１０及び２０に対して信号を送信する場合のプリアンブル長を短縮する設定を行う（ステップＳ３０８）。
【０１３５】
一方、プリアンブル長拡大要求の受信回数が閾値を超える場合（ステップＳ３０６：Ｎｏ、且つステップＳ３０９：Ｙｅｓ）、コーディネータ３０は、配下の無線装置１０及び２０に対して、プリアンブル長拡大指示を送信する（ステップＳ３１０）。
【０１３６】
プリアンブル長拡大指示を受信した配下の無線装置１０及び２０は、上述したように夫々送信時のプリアンブル長を拡大する設定を行う。また、コーディネータ３０も、配下の無線装置１０及び２０に対して信号を送信する場合のプリアンブル長を拡大する設定を行う（ステップＳ３１１）。尚、コーディネータ３０から配下の無線装置１０及び２０への指示は、ユニキャスト送信でも、ブロードキャスト送信でもよく、好適に配下の無線装置１０及び２０に送信可能であればその態様は問わない。
【０１３７】
このようにコーディネータ３０により配下の無線装置１０及び２０に対して一括してプリアンブル長を変更する指示を送信することにより、コーディネータ３０の配下の無線装置１０及び２０に対して同時期にプリアンブル長を変更する制御を実施させることが出来る。このため、個々の無線装置間で直接プリアンブル長を変更する要求を送信し合う場合に生じ得る、ある時間に無線装置毎にプリアンブル長が異なるという状態を排除することが可能となる。
【０１３８】
図１２及び図１３を参照して示した例では、コーディネータ３０は、配下の無線装置１０及び２０から送信されるプリアンブル長短縮要求又はプリアンブル長拡大要求の数に基づいて、無線通信ネットワーク２におけるパケット密度の判定を行っている。他の好適な実施例として、無線装置１０は、コーディネータ３０に対して、取得された近傍の無線装置の配置数を送信してもよい。このとき、コーディネータ３０は、無線装置の配置数に閾値を設定し、受信した無線装置の配置数の通知のうち、閾値を超えるものについてカウントをし、カウント数に応じて無線通信ネットワーク２におけるパケット密度の判定を行ってもよい。
【０１３９】
また、コーディネータ３０は、複数の無線装置からのプリアンブル長短縮要求又は近傍の無線装置の配置数の通知を受信し、受信内容に基づいて複数の無線装置の近傍におけるパケット密度の判定を行ってもよい。複数の無線装置からプリアンブル長短縮要求が送信される状態、又は複数の無線装置から閾値を超える無線装置の配置数が通知される場合については、これら複数の無線装置が配置されるエリアにおいてパケット密度が増大していることが高精度に判断出来る。従って、一つの無線装置からのプリアンブル長短縮要求等に応じて判断する場合より、より高精度にパケット密度の判定を行うことが出来る。
【０１４０】
本発明は、上述した実施例に限られるものではなく、請求の範囲及び明細書全体から読み取れる発明の要旨或いは思想に反しない範囲で適宜変更可能であり、そのような変更を伴う無線装置、無線通信システム、無線装置の通信制御方法等もまた本発明の技術的範囲に含まれるものである。
【０１４１】
以上、本明細書で説明した実施形態について、以下の付記を更に記載する。
（付記１）
他の無線装置との間で信号を送受信する複数のアンテナを備える無線装置であって、
通過周波数帯域を制御可能な受信フィルタと、
前記受信フィルタを介して受信した前記信号内のプリアンブルにおいて、前記複数のアンテナの夫々が受信した前記信号の受信レベルを測定する測定部と、
前記測定部の測定結果に基づいて、前記複数のアンテナを切り替えるアンテナ切替部と、
当該無線装置の前記信号の送受信及び前記受信フィルタの通過周波数帯域を制御する制御部と
を備え、
前記制御部は、パケット密度に基づいて、前記他の無線装置に対して、前記プリアンブルを第１のデータ長から第２のデータ長に変更する指示を行うと共に、前記受信フィルタの通過周波数帯域を第１の帯域から第２の帯域に変更することを特徴とする無線装置。
（付記２）
前記制御部は、前記他の無線装置に対して、前記プリアンブルを前記第１のデータ長から前記第２のデータ長に変更する指示を同時に行った後に、前記受信フィルタの通過周波数帯域を前記第１の帯域から前記第２の帯域に変更することを特徴とする付記１に記載の無線装置。
（付記３）
前記制御部は、前記パケット密度が所定閾値よりも高いと判定される場合、前記他の無線装置に対して、前記プリアンブルを第１のデータ長から相対的に短い第２のデータ長に変更する指示を行うと共に、前記受信フィルタの通過周波数帯域を第１の帯域から相対的に広い第２の帯域に変更することを特徴とする付記１又は２に記載の無線装置。
（付記４）
前記制御部は、前記パケット密度が前記所定閾値よりも高くないと判定される場合、前記他の無線装置に対して、前記プリアンブルを前記第１のデータ長又は該第１のデータ長より相対的に長い第３のデータ長に変更する指示を行うと共に、前記受信フィルタの通過周波数帯域を前記第１の帯域又は該第１の帯域より相対的に狭い第３の帯域に変更することを特徴とする付記１に記載の無線装置。
（付記５）
前記パケット密度判定部は、当該無線装置の近傍に配置される他の無線装置数を検出し、検出結果に応じて、前記パケット密度を判定することを特徴とする付記１から３のいずれか一項に記載の無線装置。
（付記６）
前記パケット密度判定部は、前記他の無線装置から送信される前記信号の受信レベルが所定のレベル値を超える回数に応じて、前記パケット密度を判定することを特徴とする付記１から４のいずれか一項に記載の無線装置。
（付記７）
前記パケット密度判定部は、当該無線装置における前記信号の再送回数に応じて、前記パケット密度を判定することを特徴とする付記１から４のいずれか一項に記載の無線装置。
（付記８）
前記制御部は、前記他の無線装置に対して、当該無線装置のアドレス及び前記プリアンブルの変更後のデータ長をブロードキャスト送信で送信することで、前記プリアンブルを第１のデータ長から相対的に短い第２のデータ長に変更する指示を行うことを特徴とする付記１から７のいずれか一項に記載の無線装置。
（付記９）
前記制御部は、前記測定部が前記プリアンブル内で複数回前記複数のアンテナの夫々が受信した前記信号の受信レベルを測定可能となるように前記第１のデータ長を設定することを特徴とする付記１から８のいずれか一項に記載の無線装置。
（付記１０）
前記制御部は、前記第２の帯域を介して受信した前記信号内のプリアンブルにおいて、前記測定部が前記複数のアンテナの夫々が受信した前記信号の受信レベルを測定するのに要する時間を下限として、前記第２のデータ長を設定することを特徴とする付記１から９のいずれか一項に記載の無線装置。
（付記１１）
前記制御部は、前記第２の帯域を、前記第１の帯域との通過周波数帯域の差分に応じた雑音電力の増大分と、前記アンテナ切替手段の動作によって得られる受信電力利得の増大分とが等価となる帯域と同値又はより狭くなるよう設定することを特徴とする付記１から１０いずれか一項に記載の無線装置。
（付記１２）
相互に信号を送受信可能な複数の無線装置と、前記複数の無線装置と通信し、動作を管理可能な管理装置とを含む無線通信システムであって、
前記複数の無線装置の内、少なくとも一の無線装置は、
他の無線装置との間で前記信号を送受信する複数のアンテナと、
通過周波数帯域を制御可能な受信フィルタと、
前記受信フィルタを介して受信した前記信号内のプリアンブルにおいて、前記複数のアンテナの夫々が受信した前記信号の受信レベルを測定する測定部と、
前記測定部の測定結果に基づいて、前記複数のアンテナを切り替えるアンテナ切替部と、
当該一の無線装置の前記信号の送受信及び前記受信フィルタの通過周波数帯域を制御する制御部と、
を備え、
前記管理装置は、
パケット密度に基づいて、前記他の無線装置に対して、前記一の無線装置に対して送信する前記信号内の前記プリアンブルを第１のデータ長から第２のデータ長に変更する指示を行う指示部を備え、
前記制御部は、前記パケット密度に基づいて、前記受信フィルタの通過周波数帯域を第１の帯域から第２の帯域に変更することを特徴とする無線通信システム。
（付記１３）
前記制御部は、前記管理装置から前記プリアンブルを前記第１のデータ長から前記第２のデータ長に変更する指示を受信した後に、前記受信フィルタの通過周波数帯域を前記第１の帯域から前記第２の帯域に変更することを特徴とする付記１２に記載の無線通信システム。
（付記１４）
前記通知部は、前記パケット密度が所定閾値よりも高いと判定される場合、前記判定結果として、前記プリアンブルを前記第１のデータ長から前記第２のデータ長に変更する要求を送信することを特徴とする付記１２又は１３に記載の無線通信システム。
（付記１５）
前記パケット密度判定部は、前記一の無線装置の近傍に配置される前記他の無線装置の数に応じて、前記パケット密度を判定することを特徴とする付記１２から１４のいずれか一項に記載の無線通信システム。
（付記１６）
前記パケット密度判定部は、前記他の無線装置からから送信される前記信号の受信レベルが所定のレベル値を超える回数に応じて、前記パケット密度を判定することを特徴とする付記１２から１４のいずれか一項に記載の無線通信システム。
（付記１７）
前記パケット密度判定部は、前記一の無線装置における前記信号の再送回数に応じて、前記パケット密度を判定することを特徴とする付記１２から１４のいずれか一項に記載の無線装置。
（付記１８）
他の無線装置との間で信号を送受信する複数のアンテナを備える無線装置における通信制御方法であって、
通過周波数帯域を制御可能な受信フィルタを介して受信した前記信号内のプリアンブルにおいて、前記複数のアンテナの夫々の受信レベルを測定し、
前記測定結果に基づいて、前記複数のアンテナを切り替え、、
パケット密度に基づいて、前記他の無線装置に対して、前記プリアンブルを第１のデータ長から第２のデータ長に変更する指示を送信し、前記受信フィルタの通過周波数帯域を第１の帯域から第２の帯域に変更することを特徴とする通信制御方法。
（付記１９）
前記他の無線装置に対して、前記プリアンブルを前記第１のデータ長から前記第２のデータ長に変更する指示を同時に行った後に、前記受信フィルタの通過周波数帯域を前記第１の帯域から前記第２の帯域に変更することを特徴とする付記１９に記載の通信制御方法。
【符号の説明】
【０１４２】
１０，２０  無線装置、
１１，１２  アンテナ、
１３  アンテナ切替スイッチ、
１４  Ｔ／Ｒ（送受信切替）スイッチ、
１５  無線部、
１５１  送信部、
１５２  プリアンブル生成部１５２、
１５３  受信部、
１５４  受信フィルタ、
１５５  ＲＳＳＩ測定部、
１６  無線制御部、
１６１  送信フレーム生成部、
１６２  プリアンブル長制御部、
１７  受信フレーム処理部、
１７１  フレーム種類判定部、
１７２  コマンド処理部、
１７３  データ格納部、
１７４  隣接端末テーブル、
１７５  ＲＳＳＩ格納部、
１７６  パケット密度判定部、
１７７  ＲＳＳＩ大小判定部、
１８  送受信切替信号生成部、
１９  アンテナ制御信号生成部、
３０  コーディネータ。
【図１】
0005626006.tif 000002
【図２】
0005626006.tif 000003
【図３】
0005626006.tif 000004
【図４】
0005626006.tif 000005
【図５】
0005626006.tif 000006
【図６】
0005626006.tif 000007
【図７】
0005626006.tif 000008
【図８】
0005626006.tif 000009
【図９】
0005626006.tif 000010
【図１０】
0005626006.tif 000011
【図１１】
0005626006.tif 000012
【図１２】
0005626006.tif 000013
【図１３】
0005626006.tif 000014